(57)【要約】【課題】手指が挟まれる事故を防止するとともに、「組立作業性」、「意匠性」および「耐久性」を高める。【解決手段】戸構造１０は、２枚の戸パネル１２ａ，１２ｂと蝶番１４とを備えている。蝶番１４は、一方の戸パネル１２ａに取り付けられる第１取付板部１６ａと、他方の戸パネル１２ｂに取り付けられる第２取付板部１６ｂと、第１取付板部１６ａと第２取付板部１６ｂとを回動自在に連結する回動軸１８とを有している。そして、一方の戸パネル１２ａの第１取付板部１６ａが取り付けられる側の主面には、戸パネル１２ａ，１２ｂ間に生じる隙間Ｓに沿って上下方向へ延びる第１突出部４８が一体的に形成されており、他方の戸パネル１２ｂの第２取付板部１６ｂが取り付けられる側の主面には、当該隙間Ｓに沿って上下方向へ延びる第２突出部４８が一体的に形成されている。【選択図】図１
2009041317.tif 000002
【特許請求の範囲】
【請求項１】
開口部を開閉する戸パネル、前記戸パネルを支持する戸パネル支持部材、および前記戸パネルに取り付けられる第１取付板部と、前記戸パネル支持部材に取り付けられる第２取付板部と、前記戸パネルと前記戸パネル支持部材との間に生じる隙間に沿って配設され、前記第１取付板部と前記第２取付板部とを回動自在に連結する回動軸とを有する蝶番を備える、戸構造であって、
前記戸パネルの前記第１取付板部が取り付けられる側の主面には、前記隙間に沿って上下方向へ延びる第１突出部が一体的に形成されており、
前記戸パネル支持部材の前記第２取付板部が取り付けられる側の主面には、前記隙間に沿って上下方向へ延びる第２突出部が一体的に形成されている、戸構造。
【請求項２】
前記第１突出部の高さは、前記戸パネルの前記主面から前記蝶番の回動中心までの距離以下に設定されており、前記第２突出部の高さは、前記戸パネル支持部材の前記主面から前記蝶番の回動中心までの距離以下に設定されている、請求項１に記載の戸構造。
【請求項３】
前記戸パネル支持部材は戸パネルである、請求項１または２に記載の戸構造。
【発明の詳細な説明】
【技術分野】
【０００１】
本発明は、戸パネルを戸パネル支持部材に蝶番を用いて取り付けた戸構造に関し、特に、戸パネルと戸パネル支持部材との間で手指を挟むのを防止する、戸構造に関する。
【背景技術】
【０００２】
住宅の部屋間や収納の開口部等に採用される従来の戸構造１は、図１０に示すように、戸パネル２と、戸パネル支持部材３と、これらを回動自在に接合する蝶番４とを備えている。蝶番４は、２つの取付板部５ａ，５ｂと、これらを回動自在に連結する回動軸６とを有しており、一方の取付板部５ａが戸パネル２の裏面に固定されており、かつ、他方の取付板部５ｂが戸パネル支持部材３の裏面に固定されている。したがって、戸パネル２を開いたときには、戸パネル２と戸パネル支持部材３との間に隙間Ｓが生じ、当該隙間Ｓで手指７を挟むおそれがあった。
【０００３】
そこで、近年では、「手指を挟む事故」を防止するための「戸構造」が種々開発されており、その一例が特許文献１に開示されている。特許文献１の「戸構造」は、２枚の戸パネルの側端面に、戸パネル間の隙間Ｓを覆うようにして屈曲性シートを取り付け、当該屈曲性シートの中間屈曲部を屈伸させることによって、当該屈曲性シートの幅を隙間Ｓの幅の変化に対応させるようにしたものである。
【特許文献１】特開平８−２７０３１３号公報
【発明の開示】
【発明が解決しようとする課題】
【０００４】
特許文献１の「戸構造」によれば、戸パネル間に生じる隙間Ｓを屈曲性シートによって遮蔽できるので、隙間Ｓで手指を挟む事故を防止できる。
【０００５】
しかしながら、この「戸構造」では、２枚の戸パネルの側端面に屈曲性シートを取り付ける必要があるので、組立作業性が悪く、また、見栄えが悪いという問題があった。さらに、戸パネルの開閉動作に伴って屈曲性シートの中間屈曲部が屈伸されるため、中間屈曲部が破損されるおそれがあり、耐久性が低いという問題があった。
【０００６】
それゆえに本発明の主たる課題は、手指が挟まれる事故を防止できるとともに、「組立作業性」、「意匠性」および「耐久性」を高めることのできる、戸構造を提供することである。
【課題を解決するための手段】
【０００７】
請求項１に記載した発明は、「開口部を開閉する戸パネル１２ａ、前記戸パネル１２ａを支持する戸パネル支持部材１２ｂ、および前記戸パネル１２ａに取り付けられる第１取付板部１６ａと、前記戸パネル支持部材１２ｂに取り付けられる第２取付板部１６ｂと、前記戸パネル１２ａと前記戸パネル支持部材１２ｂとの間に生じる隙間Ｓに沿って配設され、前記第１取付板部１６ａと前記第２取付板部１６ｂとを回動自在に連結する回動軸１８とを有する蝶番１４を備える、戸構造１０であって、前記戸パネル１２ａの前記第１取付板部１６ａが取り付けられる側の主面には、前記隙間Ｓに沿って上下方向へ延びる第１突出部４８が一体的に形成されており、前記戸パネル支持部材１２ｂの前記第２取付板部１６ｂが取り付けられる側の主面には、前記隙間Ｓに沿って上下方向へ延びる第２突出部４８が一体的に形成されている、戸構造１０」である。
【０００８】
本発明において、蝶番１４の回動軸１８は、戸パネル１２ａと戸パネル支持部材１２ｂとの間に生じる隙間Ｓに沿って配設されている。また、戸パネル１２ａの第１突出部４８および戸パネル支持部材１２ｂの第２突出部４８は、隙間Ｓに沿って上下方向へ延びて形成されている。したがって、蝶番１４の回動軸１８と、第１突出部４８と、第２突出部４８とによって隙間Ｓを遮蔽でき、当該隙間Ｓで手指を挟む事故を防止できる。
【０００９】
また、第１突出部４８および第２突出部４８は、それぞれ戸パネル１２ａおよび戸パネル支持部材１２ｂの主面に一体的に形成されているので、これらを別部材として形成する場合に比べて、組み立ての手間を軽減できるとともに、見栄えの悪化を防止できる。さらに、第１突出部４８および第２突出部４８は、互いに独立して形成されており、戸パネル１２ａの開閉動作に伴って屈伸されることはないので、従来技術（特許文献１）のような「破損」の問題は生じない。
【００１０】
なお、本発明に係る「戸構造１０」には、「折れ戸構造」および「開き戸構造」の双方が含まれ、「戸構造」が「折れ戸構造」であれば、「戸パネル支持部材」として「他の戸パネル」が用いられ、「戸構造１０」が「開き戸構造」であれば、「戸パネル支持部材」として「開口部に取り付けられた支持部材」が用いられる。
【００１１】
請求項２に記載した発明は、請求項１に記載した「戸構造１０」において、「前記第１突出部４８の高さは、前記戸パネル１２ａの前記主面から前記蝶番１４の回動中心Ｐまでの距離以下に設定されており、前記第２突出部４８の高さは、前記戸パネル支持部材１２ｂの前記主面から前記蝶番１４の回動中心Ｐまでの距離以下に設定されている」ことを特徴とする。
【００１２】
本発明では、第１突出部４８の高さが、戸パネル１２ａの主面から蝶番１４の回動中心Ｐまでの距離以下に設定され、かつ、第２突出部４８の高さが、戸パネル支持部材１２ｂの主面から蝶番１４の回動中心Ｐまでの距離以下に設定されているので、戸パネル１２ａを開操作して戸パネル１２ａの主面と戸パネル支持部材１２ｂの主面とを平行にしたときでも、第１突出部４８と第２突出部４８とが衝突することはない。
【００１３】
請求項３に記載した発明は、請求項１または２に記載した「戸構造１０」において、「前記戸パネル支持部材１２ｂは戸パネルである」ことを特徴とする。
【００１４】
本発明では、２枚の戸パネル１２ａ，１２ｂが蝶番１４を介して回動自在に連結されている。つまり、本発明は、請求項１または２に記載した「戸構造１０」を「折れ戸構造」として構成したものである。
【発明の効果】
【００１５】
請求項１〜３に記載した発明によれば、蝶番１４の回動軸１８と、戸パネル１２ａの第１突出部４８と、戸パネル支持部材１２ｂの第２突出部４８とによって隙間Ｓを遮蔽できるので、当該隙間Ｓで手指を挟む事故を確実に防止できる。
【００１６】
また、第１突出部４８および第２突出部４８が、それぞれ戸パネル１２ａおよび戸パネル支持部材１２ｂと一体的に形成されているので、他の遮蔽部材を別途準備する必要がなく、「組立作業性」を高めることができる。また、第１突出部４８および第２突出部４８を、それぞれ戸パネル１２ａおよび戸パネル支持部材１２ｂと一体的にデザインすることができるので、「意匠性」を高めることができる。さらに、第１突出部４８および第２突出部４８は、特許文献１の「屈曲性シート」のように屈伸されることがないので、通常使用において「破損」が生じることはなく、「耐久性」を高めることができる。
【発明を実施するための最良の形態】
【００１７】
図１は、本発明が適用された戸構造１０を示す平面図であり、図２は、戸構造１０を示す斜視図である。なお、図１ならびに後に説明する図８および図９では、それぞれ２つの図（Ａ），（Ｂ）を記載しているが、図（Ａ）が全体の平面図であり、図（Ｂ）が図（Ａ）における（Ｂ）部分の拡大図である。
【００１８】
戸構造１０は、住宅の部屋間や収納の開口部等を開閉する「折れ戸構造」として構成されたものであり、２枚の戸パネル１２ａ，１２ｂと、少なくとも２つの蝶番１４とによって構成されている。
【００１９】
蝶番１４は、図３〜図５に示すように、一方の戸パネル１２ａの表面に取り付けられる板状の第１取付板部１６ａと、他方の戸パネル１２ｂの表面に取り付けられる板状の第２取付板部１６ｂと、２枚の戸パネル１２ａ，１２ｂ間に生じる隙間Ｓ（図７）に沿って配設され、第１取付板部１６ａと第２取付板部１６ｂとを回動自在に連結する回動軸１８とを有している。
【００２０】
そして、第１取付板部１６ａおよび第２取付板部１６ｂには、固定ネジ２０（図６）が挿通される複数のネジ孔２２が形成されており、第１取付板部１６ａおよび第２取付板部１６ｂの裏面には、戸パネル１２ａ，１２ｂに形成された嵌合凹部４２，５０（図６）に嵌合される略円盤状の嵌合部材２４ａ，２４ｂが取り付けられている。さらに、第１取付板部１６ａおよび第２取付板部１６ｂの表面には、蝶番１４の開状態を保持する保持機構２６が設けられている。
【００２１】
嵌合部材２４ａ，２４ｂは、図５に示すように、円形の一部を直線で切除した形状、すなわち略「Ｄ」字状に形成されており、蝶番１４が１８０度に開かれた状態（図５）では、嵌合部材２４ａ，２４ｂにおける切除部分（直接部分）の端面どうしが当接される。したがって、蝶番１４が１８０度より大きく開かれることはない。
【００２２】
保持機構２６は、図３および図４に示すように、回動軸１８の外周に配設された平面視略Ｃ字状の係合部材２８と、第１取付板部１６ａの表面に配設された保持部材３０と、第２取付板部１６ｂに設けられた凹部３２とを有しており、保持部材３０がバネ（図示省略）の弾発力によって係合部材２８側へ付勢されている。そして、蝶番１４が１８０度に開かれると、係合部材２８の周方向端縁に保持部材３０が係合され、蝶番１４の開状態が保持される。一方、１８０度に開かれた蝶番１４を閉じようとすると、保持部材３０が係合部材２８の周方向端縁に押されて後退し、保持部材３０による保持状態が解除される。
【００２３】
蝶番１４において、その回動中心Ｐ（図１（Ｂ））は、第１取付板部１６ａおよび第２取付板部１６ｂのそれぞれの表面を延長した面上に配置されている。したがって、蝶番１４を閉じた際には、保持部材３０が凹部３２に収容されるとともに、第１取付板部１６ａおよび第２取付板部１６ｂの表面どうしが当接され、或いは近接されることになる（図７）。
【００２４】
２枚の戸パネル１２ａ，１２ｂは、図１および図２に示すように、芯材３４と、芯材３４の両面に貼り付けられた化粧面材３６と、芯材３４の幅方向一方端部に取り付けられた木口部材３８とを有している。戸パネル１２ａ，１２ｂは、互いに支持し合う関係にあり、一方が他方の「戸パネル支持部材」として機能している。つまり、戸パネル１２ａが本発明の「戸パネル」であるとすると、戸パネル１２ｂが本発明の「戸パネル支持部材」となり、逆に、戸パネル１２ｂが本発明の「戸パネル」であるとすると、戸パネル１２ａが本発明の「戸パネル支持部材」となる。
【００２５】
芯材３４は、戸パネル１２ａ，１２ｂの基板となる板材であり、挽材、合板、木質繊維板（ＩＢ，ＭＤＦ等）、木削片板（パーティクルボード、ストランドボード、ＯＳＢ等）、集成材、単板積層材等の木質系材料や、硬質塩化ビニール樹脂、ＡＢＳ樹脂、ＰＳ樹脂（ポリスチレン樹脂）等の合成樹脂材料等によって構成されている。そして、芯材３４の幅方向一方端面には、木口部材３８を位置決めするための略「コ」字状の溝４０が上下方向の全長に亘って形成されている。なお、溝４０の形状は、特に限定されるものではなく、略「コ」字状の他、略「Ｖ」字状等であってもよい。
【００２６】
化粧面材３６は、戸パネル１２ａ，１２ｂの表面および裏面に装飾性を付与するためのシート材または板材であり、具体的には、化粧紙、化粧樹脂含浸紙、化粧合成樹脂シート（オレフィンシート、塩ビシート等）、化粧単板または突板等が化粧面材３６として用いられる。なお、戸パネル１２ａ，１２ｂの「表裏」は、説明の便宜上定めたものであり、図１に記載したように、蝶番１４が設けられる側を「裏」とし、その反対側を「表」としている。
【００２７】
そして、この化粧面材３６が芯材３４の表裏両面に接着剤等を用いて接合されており、化粧面材３６および芯材３４における蝶番１４が配設される箇所には、蝶番１４の嵌合部材２４ａ，２４ｂが嵌め込まれる嵌合凹部４２（図１、図６）が形成されている。
【００２８】
木口部材３８は、戸パネル１２ａ，１２ｂの幅方向一方端部を構成するとともに、戸パネル１２ａ，１２ｂ間に生じる隙間Ｓを遮蔽するものであり、本体４４と、突条４６と、突出部４８とを有する棒状に形成されている。
【００２９】
本体４４は、芯材３４および化粧面材３６の幅方向一方端面を上下方向全長に亘って覆い隠すとともに、戸パネル１２ａ，１２ｂ間に略「Ｖ」字状の空間Ｖ１を確保するものであり、「当接面４２ａ」、「対向面４２ｂ」、「表側露出面４２ｃ」、「裏側露出面４２ｄ」および「傾斜面４２ｅ」を有する断面略五角形の棒状に形成されている。
【００３０】
「当接面４２ａ」は、芯材３４および化粧面材３６の幅方向一方端面に当接する面であり、「対向面４２ｂ」は、当接面４２ａと平行に形成され、他方の戸パネル１２ｂの木口部材３８と対向する面である。「表側露出面４２ｃ」は、当接面４２ａに対して垂直に形成され、表側の化粧面材３６と協働して戸パネル１２ａの表側主面を構成する面であり、「裏側露出面４２ｄ」は、当接面４２ａに対して垂直に形成され、裏側の化粧面材３６と協働して戸パネル１２ａの裏側主面を構成する面である。そして、「傾斜面４２ｅ」は、対向面４２ｂと表側露出面４２ｃとの間において空間Ｖ１の内面を構成する面である。
【００３１】
突条４６は、芯材３４の溝４０に嵌合される断面略四角形の突起であり、本体４４における当接面４２ａの中央部に、上下方向の全長に亘って形成されている。なお、突条４６の断面形状は、溝４０と嵌合可能なように設定されており、たとえば、溝４０の形状が略「Ｖ」字状であれば、突条４６の断面形状は、略三角形に設定されることになる。
【００３２】
突出部４８は、戸パネル１２ａ，１２ｂ間に生じた隙間Ｓを遮蔽する部分であり、図１（Ｂ）に示すように、本体４４における裏側露出面４２ｄに、隙間Ｓに沿って上下方向の全長に亘って一体的に形成されている。突出部４８の「形成位置」は、隙間Ｓを効果的に遮蔽し得るように、蝶番１４の回動中心Ｐ、すなわち戸パネル１２ａ，１２ｂの回動中心Ｐに近接した位置に設定されている。
【００３３】
ここで、仮に、突出部４８が存在しないとすると、戸パネル１２ａ，１２ｂ間に生じる隙間Ｓの幅は、裏側露出面４２ｄの端縁Ｍ（図１（Ｂ））から回動中心Ｐまでの距離ｄで決まることになる。つまり、戸パネル１２ａ，１２ｂが全閉状態のときに隙間Ｓの幅は最小となり、戸パネル１２ａ，１２ｂを開いていくと、端縁Ｍが回動中心Ｐを中心にして回動されることによって隙間Ｓの幅が徐々に広がっていく。そして、戸パネル１２ａ，１２ｂが全開状態になったときに隙間Ｓの幅は最大となり、その最大値は距離ｄの２倍「ｄ×２」となる。
【００３４】
そこで、本実施例では、突出部４８によって隙間Ｓの実質幅を縮小するために、回動中心Ｐを中心とする半径ｄの仮想円Ｎ（図１（Ｂ））を想定し、突出部４８の少なくとも一部が当該仮想円Ｎの内側に位置するように突出部４８の「形成位置」を設定している。つまり、端縁Ｍの軌跡を仮想円Ｎとして把握し、突出部４８の少なくとも一部を仮想円Ｎの内側に配置することによって隙間Ｓを遮蔽するようにしている。また、隙間Ｓの実質幅が最小となるように、突出部４８の先端部を回動中心Ｐにできるだけ近接して配置している。
【００３５】
また、突出部４８の「高さ」が、戸パネル１２ａ，１２ｂの主面（より具体的には、木口部材３８の裏側露出面４２ｄ）から蝶番１４の回動中心Ｐまでの距離ｄよりも高ければ、戸パネル１２ａ，１２ｂを開いた際に、一方の戸パネル１２ａの突出部（第１突出部）４８と、他方の戸パネル１２ｂの突出部（第２突出部）４８とが衝突して破損するおそれがある。そこで、本実施例では、各突出部４８の「高さ」を距離ｄ以下に設定することによって、各突出部４８の破損を防止している。
【００３６】
なお、木口部材３８の材料は、特に限定されるものではなく、アルミニウムまたは鉄等の金属材料や、ポリプロピレン、ポリスチレンまたはＡＢＳ等の合成樹脂材料を任意に選択して用いることができる。また、木口部材３８の成形方法としては、特に限定されるものではないが、安価かつ簡単に成形できる点において「押出し成形」を用いることが望ましい。
【００３７】
そして、この木口部材３８が芯材３４の幅方向端面に接着剤等を用いて接合されており、木口部材３８における蝶番１４が配設される箇所には、蝶番１４の嵌合部材２４ａ，２４ｂが嵌め込まれる嵌合凹部５０（図６）が形成されている。
【００３８】
戸構造１０を組み立てる際には、蝶番１４の嵌合部材２４ａが一方の戸パネル１２ａの嵌合凹部４２，５０に嵌合されるとともに、第１取付板部１６ａが一方の戸パネル１２ａの裏面に配置される。また、蝶番１４の嵌合部材２４ｂが他方の戸パネル１２ｂの嵌合凹部４２，５０に嵌合されるとともに、第２取付板部１６ｂが他方の戸パネル１２ｂの裏面に配置される。そして、第１取付板部１６ａおよび第２取付板部１６ｂが固定ネジ２０を用いて戸パネル１２ａ，１２ｂに固定される。
【００３９】
２枚の戸パネル１２ａ，１２ｂを蝶番１４で連結した状態において、蝶番１４の回動中心Ｐは、図１（Ｂ）に示すように、戸パネル１２ａ，１２ｂにおける幅方向一方端面、すなわち対向面４２ｂの延長面上に配置されている。したがって、戸パネル１２ａ，１２ｂを完全に閉じた際には、戸パネル１２ａ，１２ｂの対向面４２ｂどうしが近接することになり、戸パネル１２ａ，１２ｂ間に隙間Ｓが生じることはない。一方、戸パネル１２ａ，１２ｂを開いた際には、図７に示すように、戸パネル１２ａ，１２ｂ間に隙間Ｓが生じるが、この隙間Ｓは、２つの突出部４８によって遮蔽されるので、隙間Ｓで手指Ｆが挟まれることはない。
【００４０】
また、戸パネル１２ａ，１２ｂ間には、傾斜面４２ｅによって空間Ｖ１が確保されているので、図７に示すように、戸パネル１２ａ，１２ｂ間に入り込んだ手指Ｆを空間Ｖ１に逃がすことができるとともに、空間Ｖ１に逃がされた手指を傾斜面４２ｅによって外部へ押し出すことができる。
【００４１】
なお、上述の実施例では、戸構造１０を「折れ戸構造」として構成しているが、戸構造１０を「開き戸構造」として構成してもよい。この場合には、戸パネル１２ａまたは１２ｂのいずれか一方に代えて「開口部に取り付けられた支持部材」が用いられる。
【００４２】
また、突出部４８の形状は、特に限定されるものではなく、たとえば図８に示すように、「戸パネル１２ａ，１２ｂの側端面と連続する側面４８ａを傾斜させた形状」であってもよい。図８に示した形状では、戸パネル１２ａ，１２ｂの主面を面一に配置した状態において、２つの突出部４８間に略「Ｖ」字状の空間Ｖ２が生じることになるが、上述したように、突出部４８の少なくとも一部が仮想円Ｎ（図１（Ｂ））の内側に配置されている限り「隙間Ｓの幅を縮小する効果」を得ることができる。ただし、空間Ｖ２または隙間Ｓにおける「手指を挟む事故」を確実に防止するためには、空間Ｖ２の開口幅、すなわち「２つの突出部４８の先端部間の間隔」を「幼児の手指の幅」とされる「５ｍｍ」以下に設定することが望ましい。
【００４３】
そして、上述の実施例では、戸パネル１２ａ，１２ｂを構成する芯材３４として、「板材」を用いているが、これに代えて、「複数の棒材で構成された枠材」を用いるようにしてもよい。また、芯材３４として「板材」を用いる場合には、化粧面材３６を省略してもよい。この場合には、木口部材３８の表側露出面４２ｃおよび裏側露出面４２ｄが、芯材３４の表面および裏面とほぼ面一に配置されることになる。
【００４４】
さらに、上述の実施例では、突出部４８を木口部材３８に一体的に形成しているが、図９に示すように、突出部４８を芯材３４の裏面にＶカット等の手法で一体的に形成してもよい。この場合には、化粧面材３６を省略してもよいが、図９に示すように、芯材３４の突出部４８を覆うようにして化粧面材３６を接合してもよい（図９）。
【図面の簡単な説明】
【００４５】
【図１】戸構造を示す平面図および要部拡大図
【図２】戸構造を示す斜視図
【図３】蝶番を示す平面図
【図４】蝶番を示す正面図
【図５】蝶番を示す裏面図
【図６】戸構造を示す分解斜視図
【図７】戸パネルを開いた状態を示す平面図
【図８】他の戸構造を示す平面図および要部拡大図
【図９】他の戸構造を示す平面図および要部拡大図
【図１０】従来技術を示す平面図
【符号の説明】
【００４６】
１０…  戸構造
１２ａ…  戸パネル（戸パネル支持部材）
１２ｂ…  戸パネル支持部材（戸パネル）
１４…  蝶番
１６ａ…  第１取付板部
１６ｂ…  第２取付板部
１８…  回動軸
２４ａ…  嵌合部材
２６…  保持機構
２８…  係合部材
３０…  保持部材
３４…  芯材
３６…  化粧面材
３８…  木口部材
４０…  溝
４２，５０…  嵌合凹部
４２ａ…  当接面
４２ｂ…  対向面
４２ｃ…  裏側露出面
４２ｄ…  表側露出面
４２ｅ…  傾斜面
４４…  本体
４６…  突条
４８…  突出部
【図１】
2009041317.tif 000003
【図２】
2009041317.tif 000004
【図３】
2009041317.tif 000005
【図４】
2009041317.tif 000006
【図５】
2009041317.tif 000007
【図６】
2009041317.tif 000008
【図７】
2009041317.tif 000009
【図８】
2009041317.tif 000010
【図９】
2009041317.tif 000011
【図１０】
2009041317.tif 000012